(57)【要約】【課題】光学的情報読取機能と、非接触通信機能とを備えた携帯通信端末において、適切なサイズのアンテナを用いて良好に非接触通信を行うことができ、且つ装置の小型化をも実現しうる構成を提供する。【解決手段】携帯端末１は、光光学的情報読取手段と非接触通信手段とがケース２の内部に収容されてなるものである。この携帯端末１には、第１のアンテナ５１と第２のアンテナ５２とが設けられており、開始信号が発生したときには、まず第１のアンテナ５１からのキャリアの出力をオン状態とし、且つ第２のアンテナ５２からのキャリアの出力をオフ状態としている。第１のアンテナ５１からのキャリアの出力に基づいて非接触通信媒体が検出された場合には、第２のアンテナ５２からのキャリアの出力をオン状態とし、この第２のアンテナ５２から出力されるキャリアによって非接触通信媒体と非接触通信を行っている。【選択図】図４
2010193230.tif 000002
【特許請求の範囲】
【請求項１】
情報コードを光学的に読み取る光学的情報読取手段と、
非接触通信媒体と非接触通信を行う非接触通信手段と、
前記光学的情報読取手段及び前記非接触通信手段を収容するケースと、
を備えた携帯端末であって、
所定操作に応じて開始信号を発生する操作手段を備え、
前記非接触通信手段は、
第１のアンテナと、
前記第１のアンテナとは異なる第２のアンテナと、
前記第１のアンテナからのキャリアの出力、及び前記第２のアンテナからの前記キャリアの出力を制御する出力制御手段と、
前記第１のアンテナから出力される前記キャリアに基づいて前記非接触通信媒体の存在を検出する検出手段と、
を備え、
前記出力制御手段は、前記操作手段にて前記開始信号が発生したときに、前記第１のアンテナからの前記キャリアの出力をオン状態とし、且つ前記第２のアンテナからの前記キャリアの出力をオフ状態とし、前記第１のアンテナからの前記キャリアに基づいて前記非接触通信媒体の存在が前記検出手段によって検出された場合に、前記第２のアンテナからの前記キャリアの出力をオン状態とし、
前記第２のアンテナからの前記キャリアによって前記非接触通信媒体と前記非接触通信を行うことを特徴とすることを特徴とする携帯端末。
【請求項２】
前記第２のアンテナを、前記ケースの外壁に沿って収まる第１位置と、前記ケースから延出する第２位置とで変位させるアンテナ変位機構と、
前記アンテナ変位機構の駆動を制御する駆動制御手段と、
を備え、
前記駆動制御手段は、前記第２のアンテナが前記第１位置にある状態で、前記開始信号が発生した場合に、所定のタイミングで前記アンテナ変位機構を駆動させて前記第２のアンテナを前記第２位置に設定し、
前記出力制御手段は、前記非接触通信媒体の存在が前記検出手段によって検出された場合に、前記第２位置に設定された前記第２のアンテナから前記キャリアを出力することを特徴とする請求項１に記載の携帯端末。
【請求項３】
前記駆動制御手段は、前記非接触通信媒体の存在が前記検出手段によって検出された場合に、前記アンテナ変位機構を駆動させて前記第２のアンテナを前記第２位置に設定し、
前記出力制御手段は、その第２位置に設定された前記第２のアンテナから前記キャリアを出力することを特徴とする請求項２に記載の携帯端末。
【請求項４】
前記第１のアンテナは、所定の仮想平面に沿って配置されており、
前記第２のアンテナは、前記第１位置において前記仮想平面と交差する平面方向に沿って配置され、前記第２位置において前記仮想平面に沿って配置されることを特徴とする請求項２又は請求項３に記載の携帯端末。
【請求項５】
前記ケースの外壁には、前記第２のアンテナを収容する凹部が形成されており、
前記第２のアンテナは、前記第１位置において前記凹部に収容され、前記第２位置において前記凹部から離脱して前記ケースから延出することを特徴とする請求項２から請求項４のいずれか一項に記載の携帯端末。
【請求項６】
前記第１のアンテナよりも前記第２のアンテナのほうがサイズが大きく構成されており、
前記出力制御手段は、前記第１のアンテナから第１出力で前記キャリアを送信し、前記第２のアンテナから前記第１出力よりも大きい第２出力で前記キャリアを送信することを特徴とする請求項１から請求項５のいずれか一項に記載の携帯端末。
【請求項７】
前記操作手段に対する前記所定操作に応じて前記開始信号が発生したときに、前記非接触通信手段による前記非接触通信媒体との非接触通信と共に、前記光学的情報読取手段による前記情報コードの読み取りが開始されることを特徴とする請求項１から請求項６のいずれか一項に記載の携帯端末。
【発明の詳細な説明】
【技術分野】
【０００１】
本発明は、携帯端末に関するものである。
【背景技術】
【０００２】
近年、小売業や物流分野などの様々な分野で、バーコードや二次元コード等を読み取る光学的情報読取装置が用いられている。この種の光学的情報読取装置は、様々な場所で手軽に使用することが求められ、携帯端末として構成されるものも様々に提供されている。
【先行技術文献】
【特許文献】
【０００３】
【特許文献１】特開２００６−３０４０３９
【発明の概要】
【発明が解決しようとする課題】
【０００４】
上記携帯端末の分野では、高機能化が進行しており、上記の光学的情報読取機能に加え、ＲＦＩＤタグに代表される非接触通信媒体を読み取る機能とを搭載した端末なども提供され始めている。このような高機能端末によれば、例えば、二次元コードを利用した値札の処理と、ＩＣカードを利用した決済処理とを同一の携帯端末によって迅速且つスムーズに行うことができるようになり、商品購入者や端末利用者の利便性を効果的に高めることができる。
【０００５】
ところで、上記携帯端末は、使用者が手で持ちながら使用するものであり、また、様々な場所に持ち運ばれて使用されるという事情から、小型化や省電力化が強く要望されている。しかしながら、上記のように光学的情報読取機能及び非接触通信機能を搭載して利便性を高めようとすると、必然的に搭載部品が多くなるため、消費電力の増大、部品配置スペースの減少といった問題が避けられず、その結果、省電力化を図りつつ小型化を実現することは極めて難しくなる。
【０００６】
本発明は、上述した課題を解決するためになされたものであり、光学的情報読取機能と、非接触通信機能とを備えた携帯端末において、非接触通信を良好に行うことができ、且つ装置の小型化や省電力化をも実現しうる構成を提供することを目的とする。
【課題を解決するための手段】
【０００７】
請求項１の発明は、情報コードを光学的に読み取る光学的情報読取手段と、非接触通信媒体と非接触通信を行う非接触通信手段と、前記光学的情報読取手段及び前記非接触通信手段を収容するケースと、を備えた携帯端末として構成されるものであり、所定操作に応じて開始信号を発生する操作手段を備えている。
また、前記非接触通信手段は、第１のアンテナと、前記第１のアンテナとは異なる第２のアンテナと、前記第１のアンテナからのキャリアの出力、及び前記第２のアンテナからの前記キャリアの出力を制御する出力制御手段と、前記第１のアンテナから出力される前記キャリアに基づいて前記非接触通信媒体の存在を検出する検出手段と、を備えている。
更に、前記出力制御手段は、前記操作手段にて前記開始信号が発生したときに、前記第１のアンテナからの前記キャリアの出力をオン状態とし、且つ前記第２のアンテナからの前記キャリアの出力をオフ状態とし、前記第１のアンテナからの前記キャリアに基づいて前記非接触通信媒体の存在が前記検出手段によって検出された場合に、前記第２のアンテナからの前記キャリアの出力をオン状態とし、前記第２のアンテナからの前記キャリアによって前記非接触通信媒体と前記非接触通信を行っている。
【０００８】
請求項２の発明は、請求項１に記載の携帯端末において、更に、前記第２のアンテナを、前記ケースの外壁に沿って収まる第１位置と、前記ケースから延出する第２位置とで変位させるアンテナ変位機構と、前記アンテナ変位機構の駆動を制御する駆動制御手段と、が設けられている。
また、前記駆動制御手段は、前記第２のアンテナが前記第１位置にある状態で、前記開始信号が発生した場合に、所定のタイミングで前記アンテナ変位機構を駆動させて前記第２のアンテナを前記第２位置に設定し、前記出力制御手段は、前記非接触通信媒体の存在が前記検出手段によって検出された場合に、前記第２位置に設定された前記第２のアンテナから前記キャリアを出力するように構成されている。
【０００９】
請求項３の発明は、請求項２に記載の携帯端末において、前記駆動制御手段が、前記非接触通信媒体の存在が前記検出手段によって検出された場合に、前記アンテナ変位機構を駆動させて前記第２のアンテナを前記第２位置に設定するように構成されており、前記出力制御手段が、その第２位置に設定された前記第２のアンテナから前記キャリアを出力するように構成されていることを特徴としている。
【００１０】
請求項４の発明は、請求項２又は請求項３に記載の携帯端末において、前記第１のアンテナが、所定の仮想平面に沿って配置されており、前記第２のアンテナが、前記第１位置において前記仮想平面と交差する平面方向に沿って配置され、前記第２位置において前記仮想平面に沿って配置されることを特徴としている。
【００１１】
請求項５の発明は、請求項２から請求項４のいずれか一項に記載の携帯端末において、前記ケースの外壁に、前記第２のアンテナを収容する凹部が形成されており、前記第２のアンテナが、前記第１位置において前記凹部に収容され、前記第２位置において前記凹部から離脱して前記ケースから延出するように構成されていることを特徴としている。
【００１２】
請求項６の発明は、請求項１から請求項５のいずれか一項に記載の携帯端末において、前記第１のアンテナよりも前記第２のアンテナのほうがサイズが大きく構成されており、前記出力制御手段が、前記第１のアンテナから第１出力で前記キャリアを送信し、前記第２のアンテナから前記第１出力よりも大きい第２出力で前記キャリアを送信するように構成されていることを特徴としている。
【００１３】
請求項７の発明は、請求項１から請求項６のいずれか一項に記載の携帯端末において、前記操作手段に対する前記所定操作に応じて前記開始信号が発生したときに、前記非接触通信手段による前記非接触通信媒体との非接触通信と共に、前記光学的情報読取手段による前記情報コードの読み取りが開始されることを特徴としている。
【発明の効果】
【００１４】
請求項１の発明は、ケース内に光学的情報読取手段と非接触通信手段とが設けられており、光学的情報の読み取り及び非接触通信を単一の端末によって実現できるようになっている。また、非接触通信手段には、第１のアンテナと第２のアンテナとが設けられ、操作手段にて開始信号が発生したときに、第１のアンテナからのキャリアの出力をオン状態とし、且つ第２のアンテナからのキャリアの出力をオフ状態としている。
このようにすると、まず、第１のアンテナからのキャリア送信によって非接触通信媒体の存在を確かめることができるため、装置内のアンテナ全部を使用して非接触通信媒体の検出を行う構成と比較して省電力化を図りやすくなる。また、第１アンテナは、非接触通信媒体の存在を検出するために用いる部分であり、必要以上に大きくする必要はないため、小型構成として装置内の適切位置に配置しやすくなる。
また、第１のアンテナからのキャリアに基づいて非接触通信媒体の存在が検出手段によって検出された場合に、第２のアンテナからのキャリア出力をオン状態としている。このようにすると、非接触通信媒体の存在が検出されてから第２のアンテナを作動させることができるため、非接触通信媒体が存在しないような状況下で第２のアンテナを作動させずに済み、消費電力を抑えた効率的な使用が可能となる。
更に、アンテナを機能毎に分けて構成しているため、それぞれのアンテナ（第１のアンテナ及び第２のアンテナ）をより適切な位置に効率的に配置することができる。従って、省電力化を図りうる構成をより小型構成で実現できる。
【００１５】
請求項２の発明は、第２のアンテナを、ケースの外壁に沿って収まる第１位置と、ケースから延出する第２位置とで変位させるアンテナ変位機構が設けられている。このようにすると、不使用時など、装置全体を嵩張る構成としたくない場合には、第２のアンテナをケースの外壁に沿って納め、装置全体をコンパクトにすることができる。
一方、所定操作がなされた場合には、所定のタイミングでアンテナ変位機構が駆動して第２のアンテナが第２位置に設定される。そして、非接触通信媒体が検出されることを条件として、第２のアンテナからキャリアが出力される。このような構成とすると、ユーザが非接触通信を行うとする場合に、第２のアンテナを通信しやすい位置（第２位置）に自動的に変更することができ、非接触通信をスムーズに且つ良好に行うことができる。
本発明のように非接触通信機能を設けて高機能化を図ろうとする場合、必然的に搭載部品が多くなるため、非接触通信に用いるアンテナを適切な位置に適切なサイズで配置しにくいという問題があり、装置全体を小型化しようとする場合にはその問題が顕著となる。例えば、アンテナを小さく構成すると、配置スペースを削減でき、装置全体の小型化を図りやすくなるものの、通信性能の低下を招くという問題がある。逆に、アンテナを大きくすると、アンテナ自体の通信性能を向上しうるものの、当該アンテナを適切な位置に配置しにくくなり、装置の小型化が困難となる。
このような問題に対し、請求項２の発明では、第２のアンテナをケース内に固定するのではなく、ケース外に変位可能に設けている。従って、ある程度大きなサイズのものでも設置しやすく、また、必要に応じて延出させることができるため、ケース内に第２のアンテナの配置スペースをそれほど確保せずとも第２のアンテナを通信しやすく配置できる。また、装置構成をコンパクトにしたい場合には、第２のアンテナをケースの外壁に沿って納めればよく、小型化をそれほど損ねることもない。
【００１６】
請求項３の発明は、非接触通信媒体が検出手段によって検出された場合にアンテナ変位機構を駆動させ、第２のアンテナを第２位置に設定している。このようにすると、非接触通信媒体が通信可能範囲に存在しない状況下で第２のアンテナを第２位置に移動させるといった無駄な動作を排除できる。
【００１７】
請求項４の発明では、第１のアンテナが所定の仮想平面に沿って配置されている。また、第２のアンテナは、第１位置では、その仮想平面と交差する平面方向に沿って配置され、第２位置では、その仮想平面に沿って配置される構成となっている。このようにすると、第２のアンテナをケース外壁に沿って納めるときには（即ち第１位置においては）、当該第２のアンテナを第１のアンテナの方向に沿って配置せずに済み、例えば、両アンテナを同一の外壁に沿わせて配置しにくい場合等において有利となる。一方、第２位置では、第１のアンテナと第２のアンテナが同一の平面方向に沿って配置され、第１のアンテナの通信可能範囲と第２のアンテナの通信可能範囲とが近くなるため、第１のアンテナのキャリア出力によって検出された非接触通信媒体を大幅に移動させることなくスムーズに非接触通信に移行できる。
【００１８】
請求項５の発明では、ケース外壁に第２のアンテナを収容する凹部が形成されている。そして、第２のアンテナは、第１位置にあるときにはその凹部内に収容され、第２位置への移動に伴ってその凹部から離脱し、ケースから延出するように構成されている。このようにすると、第１位置では、第２のアンテナを衝撃等から効果的に保護することができ、第２位置では、第２のアンテナを凹部から離脱させて通信しやすく配置することができる。
【００１９】
請求項６の発明では、第１のアンテナよりも第２のアンテナのほうがサイズが大きく構成されている。また、第１のアンテナから第１出力でキャリアが送信され、第２のアンテナからは第１出力よりも大きい第２出力でキャリアが送信されるように構成されている。このようにすると、非接触通信媒体の検出を、小サイズのアンテナにより消費電力を抑えて行うことができ、非接触通信媒体が検出された後には、これよりも大きいサイズのアンテナを用い、適切な出力で非接触通信を行うことができる。
【００２０】
請求項７の発明では、所定操作に応じて開始信号が発生したときに、非接触通信手段による非接触通信と共に、光学的情報読取手段による情報コードの読み取りが開始される。このようにすると、情報コードの読み取り及び非接触通信を少ない操作で迅速に開始することができ、両機能を並行して行うことができる。
【図面の簡単な説明】
【００２１】
【図１】図１（ａ）は、本発明の第１実施形態に係る携帯端末を概略的に例示する平面図であり、図１（ｂ）は、図１（ａ）の携帯端末の側面図である。図１（ｃ）は、図１（ａ）の携帯端末の裏面図である。
【図２】図２は、図１の携帯端末の電気的構成を例示するブロック図である。
【図３】図３は、図２の非接触通信部等を具体的に例示するブロック図である。
【図４】図４（ａ）は、第１実施形態の携帯端末によって非接触通信媒体を検出する様子を説明する説明図であり、図４（ｂ）は、その非接触通信媒体と非接触通信を行う様子を説明する説明図である。
【図５】図５（ａ）は、アンテナ変位機構等を説明する説明図であり、図５（ｂ）は、アンテナ変位機構等を図５（ａ）とは異なる角度から説明する説明図である。
【図６】図６は、図１等に示す携帯端末で行われる情報コード読取処理の流れを例示するフローチャートである。
【図７】図７は、図１等に示す携帯端末で行われる非接触通信処理の流れを例示するフローチャートである。
【図８】図８は、包絡検波の様子を説明する説明図である。
【発明を実施するための形態】
【００２２】
[第１実施形態]
以下、本発明の携帯端末を具現化した第１実施形態について、図面を参照して説明する。
（全体構成）
まず、第１実施形態の携帯端末の全体構成について説明する。図１（ａ）は、本発明の第１実施形態に係る携帯端末を概略的に例示する平面図であり、図１（ｂ）は、図１（ａ）の携帯端末の側面図である。また、図１（ｃ）は、図１（ａ）の携帯端末の裏面図である。図２は、図１の携帯端末の電気的構成を例示するブロック図である。図３は、図２の非接触通信部等を具体的に例示するブロック図である。
【００２３】
図１に例示される携帯端末１は、ユーザによって携帯されて様々な場所で用いられるものであり、バーコードや二次元コードなどの情報コードを読み取る情報コードリーダとしての機能と、無線タグを読み取る無線タグリーダとしての機能とを有し、読み取りを二方式で行いうる構成となっている。
【００２４】
図１に示すように、携帯端末１は、長手状のケース２によって外郭が構成されている。このケース２は、各種部品（各種電気部品等）を収容するものであり、例えば樹脂材料などからなる複数のケース体（図１では、上ケース２ａ及び下ケース２ｂの２つのケース体）によって構成され、これらが結合した箱状形態をなしている。
【００２５】
図１（ａ）に示すように、ケース２から露出する形態で様々な部品が取り付けられている。例えば、上面部の長手方向一端側には、液晶表示器などからなる表示装置４が設けられ、他端側には複数個の操作ボタン６ａ（数字キーや機能キー等）を有するキー操作部６が設けられている。また、ケース２の側部からは、開始指示用のトリガスイッチ５が露出しており、その他にも、電源スイッチ、報知用のＬＥＤ、スピーカなどが設けられている。また、図１（ｃ）に示すように、ケース２の長手方向一端側の裏面部には、情報コードからの反射光を取り込む読取口１３が形成されている。読取口１３は、光を取り込みうる開口形態をなしており、その開口が透明部材（例えば透明の樹脂部材）によって閉塞された構成となっている。
【００２６】
なお、本実施形態では、ケース２の長手方向を前後方向としており、読取口１３が設けられる側を前方とし、それとは反対側を後方とする。また、ケース２の厚さ方向を上下方向としており、表示装置が設けられる側を上方、それとは反対側を下方とする。またこれら前後方向及び上下方向と直交する方向を幅方向としている。
【００２７】
次に、電気的構成について説明する。
図２に示すように、携帯端末１のケース２内には、携帯端末１全体を制御する制御部３が設けられている。この制御部３は、マイコンを主体として構成されるものであり、ＣＰＵ、システムバス、入出力インタフェース等を有している。また、制御部３には、表示装置４、トリガスイッチ５、キー操作部６、アクチュエータ７、外部インターフェース８、メモリ９などが接続されている。
【００２８】
表示装置４は、ユーザに対して各種情報を提供する部分であり、制御部３の制御に応じ各種画像を表示するように構成されている。トリガスイッチ５は、制御部３に対して開始信号を与える部分であり、制御部３は、この開始信号に応じて非接触通信部２０による非接触通信、又は情報コード読取部４０による情報コードの読み取りを開始している。なお、本実施形態では、トリガスイッチ５が「操作手段」の一例に相当し、ユーザによる所定操作（例えば押圧操作）に応じて開始信号を発生させるように機能している。
【００２９】
キー操作部６は、制御部３に対して各種操作信号を与える部分であり、制御部３は、操作信号の内容に応じた動作を行うように構成されている。アクチュエータ７は、制御部３からの指令を受けて駆動する駆動部であり、詳細については後述する。外部インターフェース８は、外部（例えばホスト装置）とのデータ通信を行うためのインターフェースとして機能する部分であり、制御部３と協働して通信処理を行うように構成されている。また、ケース２の内部には、電源となるバッテリ１１や電源部１０が設けられており、これらによって制御部３や各種電気部品に電力が供給されるようになっている。
【００３０】
また、制御部３には、非接触通信部２０及び情報コード読取部４０がそれぞれ接続されている。
情報コード読取部４０は、公知の情報コードリーダとして構成される部分であり、ＣＣＤエリアセンサ等の受光センサ、結像レンズ、ＬＥＤやレンズ等からなる照明部などを備えており、制御部３と協働して読取対象に付された情報コード（バーコードや二次元コード）を読み取るように機能する。この情報コード読取部４０によって読み取りを行う場合、まず、制御部３から照明部に指令が与えられて当該照明部から照明光が出射され、読取口１３（図１（ｃ）参照）を通って読取対象に照射される。照明光が情報コード（バーコードや二次元コード）に照射されると、その反射光が読取口１３を通って装置内に取り込まれ、結像レンズを通って受光センサに受光されることとなる。読取口１３と受光センサの間に配される結像レンズは、情報コードの像を受光センサ上に結像させており、受光センサはこの情報コードの像に応じた受光信号を出力している。受光センサから出力された受光信号は、増幅回路によって増幅された後、ＡＤ変換回路によってデジタル信号に変換され、画像データとしてメモリ９（図２）に記憶される。メモリ９に画像データが記憶された後には、当該画像データに対し公知のデコード処理が行われ、そのデコード結果が表示装置４や外部装置などに出力される。
本実施形態では、情報コード読取部４０及び制御部３が「光学的読取手段」の一例に相当する。
【００３１】
非接触通信部２０は、アンテナ５０及び制御部３と協働して非接触通信媒体（ＲＦＩＤタグやＩＣカード等）との間で電磁波による通信を行ない、非接触通信媒体に記憶されるデータの読取り、或いは無線タグに対するデータの書込みを行なうように機能するものである。なお、本実施形態では、アンテナ５０、非接触通信部２０、及び制御部３が「非接触通信手段」の一例に相当しており、これら具体的構成、機能については以下に詳述する。
【００３２】
（特徴的構成）
次に、本実施形態の特徴部分をなす非接触通信部２０及びアンテナ５０について説明する。図３に示す非接触通信部２０は、例えば図３のように構成されており、非接触通信媒体の存在を検出する検知部２０ａと、非接触通信媒体と非接触通信（読み取りや書き込みなど）を行う通信部２０ｂとに分かれている。
【００３３】
検出部２０ａは、第１のアンテナ５１を介してキャリアを出力し、そのキャリアに基づいて非接触通信媒体の存在を検出している。この検出部３５は、キャリアを出力する送信回路３５と、送信回路３５から出力されるキャリアをフィルタリングするフィルタ回路３６とを備え、フィルタ回路３６にてフィルタリングされたキャリアが整合回路３７を介して第１のアンテナ５１から出力されるようになっている。送信回路３５は、公知のキャリア発振器を備えており、後述する通信部２０ｂの送信回路３２よりも低いレベル（省電力レベル）でキャリアを出力している。
【００３４】
検出部２０ａには、更に、フィルタ回路３６から出力されるキャリアの包絡線検波を行う包絡線検波回路３８が設けられている。この包絡線検波回路３８は、電気信号の包絡線を検出可能な公知の包絡線検波器として構成されており、フィルタ回路３６、整合回路３７を介して第１のアンテナ５１から出力されるキャリアの包絡線を検出し、得られた包絡線情報を制御部３に出力している。
【００３５】
通信部２０ｂは、送信側を構成する回路として、キャリア発振器２１、符号化部２２、変調部２３、増幅器２４、送信部フィルタ２５、整合回路２６などが設けられている。また、受信側には、受信部フィルタ２７、増幅器２８、復調部２９、二値化処理部３０、複号化部３１が設けられている。
【００３６】
符号化部２２は、制御部３から出力される送信データを符号化して変調部２３に出力している。変調部２３は、キャリア発振器２１より出力される例えば周波数１３．５６ＭＨｚのキャリア（搬送波）に対し、通信対象へのコマンド送信時に符号化部２２より出力される符号化された送信符号（変調信号）によってＡＳＫ（Amplitude Shift Keying）変調された被変調信号を生成し、増幅器２４に出力する。なお、キャリア発振器２１の発振動作の動作／停止は、制御部３によって制御される。
【００３７】
増幅器２４は、入力信号（変調部２３によって変調された被変調信号）を所定のゲインで増幅しており、その増幅信号を送信部フィルタ２５に出力している。送信部フィルタ２５は、フィルタリングした送信信号を、整合回路２６を介して第２のアンテナ５２に出力する。このようにして第２のアンテナ５２に送信信号が出力されると、その送信信号が電磁波として第２のアンテナ５２より外部に放射される。
【００３８】
一方、受信側では、受信部フィルタ２７が、第２のアンテナ５２を介して受信された信号をフィルタリングしており、増幅器２８は、そのフィルタリングされた受信信号を増幅して復調部２９に出力している。また、復調部２９は、増幅器２８から出力される増幅信号を復調して二値化処理部３０に出力しており、二値化処理部３０は、その復調された信号波形を二値化して復号化部３１に出力している。その二値化された信号は、復号化部３１にて復号化された後、最終的に制御部３に入力される。
【００３９】
次に、アンテナ５０及びアンテナ変位機構６０について説明する。
図１、図３に示すように、本実施形態の携帯端末１には、検出部２０ａからのキャリアを出力可能な第１のアンテナ５１と、通信部２０ｂからのキャリアを出力可能な第２のアンテナ５２とが設けられており、これらアンテナが異なる位置にそれぞれ配置されている。図１（ｂ）（ｃ）に示すように、第１のアンテナ５１は、ケース２の長手方向端部付近に固定されており、図１（ｃ）の例では、読取口１３の開口を取り囲む形態で環状に配置されている。
【００４０】
第２のアンテナ５２は、図１（ｂ）（ｃ）に概略的に示すように、例えば、環状或いは板状の金属部材などによって構成されており、板状のアンテナ保持部５３に固定されている。この第２のアンテナ５２は、上記第１のアンテナ５１よりも大きなサイズとされており、より詳しくは、第１のアンテナ５１の外縁部の大きさ（即ち外形サイズ）よりも第２のアンテナ５２の外縁部の大きさ（外形サイズ）のほうが大きい構成となっている。そして、小さく構成される第１のアンテナ５１をケース２の長手方向一端部寄りの狭いスペースに配置し、大きく構成される第２のアンテナ５２を、その第１のアンテナ５１よりも後方側であって且つケース２の下方側のある程度広いスペースに変位可能に配置している。
【００４１】
第２のアンテナ５２を保持するアンテナ保持部５３は、図４（ａ）（ｂ）に示すように、ケース２の裏面側に設けられたアンテナ変位機構６０に変位可能に保持されており、図４（ａ）に示すようなケース２の裏面部７０に沿って収まる収納位置と、図４（ｂ）に示すようなケース２から下方側に延出する延出位置とで変位するように構成されている。
【００４２】
アンテナ変位機構６０は、図４に示すように、ケース２の長手方向一端側において、第１のアンテナ５１の付近に配置されており、図５（ａ）（ｂ）に示すように、アンテナ保持部５３の長手方向一端側に固定される軸部６２と、この軸部６２の両端部付近を支持する一対の軸受部６３、６４とを備えている。この構成では、アンテナ保持部５３の一端側が回転可能に支持されているため、アンテナ保持部５３は、その一端側の中心軸Ｇを中心として回転することとなる。また、アンテナ保持部５３に保持される第２のアンテナ５２は、アンテナ保持機構６０の動作に伴ってアンテナ保持部５３と一体的に回転し、アンテナ保持部５３が上記収納位置に配置されるときには、ケース２の外壁に沿って収まる位置（第１位置：図４（ａ））に位置保持され、アンテナ保持部５３が上記延出位置に配置されるときには、ケース２から延出する位置（第２位置：図４（ｂ））に位置保持されることとなる。
【００４３】
また、図２、図５に示すように、携帯端末１には、アンテナ変位機構６０を駆動するアクチュエータ７が設けられている。このアクチュエータ７は、例えばステッピングモータ等の回転駆動手段によって構成されており、モータ部７ａ、駆動軸７ｂ、駆動力伝達部材（歯車７ｃ）を有している。このアクチュエータ７は、制御部３から指令が与えられたときにモータ部７ａによって駆動軸７ｂが回転駆動され、この回転駆動に伴って駆動軸７ｂに固定される歯車７ｃが回転するようになっている。なお、本実施形態では、アクチュエータ７及びこれを制御する制御部３が「駆動制御手段」の一例に相当し、アンテナ変位機構６０の駆動を制御するように機能する。
【００４４】
アンテナ変位機構６０の軸部６２には、駆動力伝達部材（歯車６１）が固定されており、この歯車６１がアクチュエータ側の歯車７ｃから動力の伝達を受ける構成となっている。このように構成されるアクチュエータ７及びアンテナ変位機構６０を駆動する際には、まず、制御部３からアクチュエータ７に対し、駆動軸７ｂを一定範囲回転させることを指示する信号が与えられ、この指示信号に応じてモータ部７ａが作動し、駆動軸７ｂを一定範囲回転させる。そして、この駆動軸７ｂの回転駆動に応じて歯車７ｃが一体的に回転し、これに隣接する歯車６１も回転することとなる。歯車６１が回転すると、この歯車６１に固定される軸部６２やアンテナ保持部５３も一体的に回転し、例えば図４（ａ）のような状態から図４（ｂ）のような状態に変化する。
【００４５】
また、本実施形態の携帯端末１は、図１（ｂ）（ｃ）に示すように、ケース２の裏面部７０を構成する外壁において、第２のアンテナ５２及びアンテナ保持部５３を収容する凹部７１が形成されている。この凹部７１は、一方側（下方側）を開放した箱状形態をなしており、第２のアンテナ５２は、第１位置において凹部７１に収容され、第２位置において凹部７１から離脱してケース２から延出するように構成されている（図４（ｂ）参照）。
【００４６】
また、図４（ａ）に示すように、第１のアンテナ５１は、ケース２の内部において、所定の仮想平面Ｆ１に沿って配置されている。この仮想平面Ｆ１は、幅方向と平行な平面であって且つ長手方向に対して所定角度で傾斜する平面であり、第１のアンテナ５１は、このような仮想平面Ｆ１に沿った形態で配置され、上端側が前方寄りに配置され、下方側につれて次第に後方側に配置されるような傾斜構成をなしている。
【００４７】
また、第２のアンテナ５２は、図４（ａ）に示すように、ケース２の外壁に沿って収まるとき（即ち第１位置のとき）には、仮想平面Ｆ１と交差する仮想平面Ｆ２に沿って配置されている。この仮想平面Ｆ２は、幅方向と並行であって且つ前後方向とも平行な平面であり、第２のアンテナ５２は、凹部７１内に収納されるときにはこのような仮想平面Ｆ２に沿うようにコンパクトに配置される。また、図４（ｂ）のように凹部７１から離脱して第２位置に変位したときには、仮想平面Ｆ１に沿って配置されるようになっている。この構成では、第２のアンテナ５２が第２位置に変位したときに、第１のアンテナ５１の傾斜度合と、第２のアンテナ５２の傾斜度合とがほぼ同じとなり、図４（ｂ）のように、第１のアンテナ５１の傾斜に沿って非接触通信媒体（ＩＣカード等）が配置されたときに当該非接触通信媒体が第２のアンテナ５２にも沿うようになっている。
【００４８】
（制御処理）
次に、本実施形態の携帯端末１で行われる制御処理について説明する。
本実施形態の携帯端末１では、ユーザがトリガスイッチ５を押圧する押圧操作に応じて制御部３に開始信号が与えられ、この開始信号をトリガとして制御処理が開始されるようになっている。トリガスイッチ５の押圧操作に応じて発生する開始信号は、非接触通信手段による非接触通信、及び光学的情報読取手段による情報コードの読み取りのトリガとなるものであり、開始信号の発生を条件として、図６に示す情報コード読取処理及び図７に示す非接触通信処理が開始される。なお、これら情報コード読取処理及び非接触通信処理は、順番に行われてもよく、同時期に並列処理で行われてもよい。
【００４９】
図６に示す情報コード読取処理は、公知の処理と同様であり、トリガスイッチ５の押圧操作をトリガとして処理が開始された後、まず、画像データ取得処理が行われる（Ｓ１）。画像データ取得処理（Ｓ１）は、情報コード読取部４０に設けられた撮像手段（ＣＣＤセンサ、ＣＭＯＳセンサ等の画像センサ）によって情報コードを撮像し、その画像データをメモリ９に記憶する処理である。画像データ取得後には、その取得した画像データに対して公知のデコード処理を行い（Ｓ２）、デコード結果を表示装置４や外部装置などに出力する（Ｓ３）。
【００５０】
一方、非接触通信処理については、図７のような流れで行われる。この処理では、まず、検出部２０ａを作動させて第１のアンテナ５１からのキャリアの出力を開始する（Ｓ１０）。第１のアンテナ５１からのキャリアの出力は、電力を抑えた省電力モードで行われ、このとき、第２のアンテナ５２からのキャリアの出力はオフ状態に維持される。
【００５１】
Ｓ１０にて第１のアンテナ５１からのキャリア出力を開始した後には、そのキャリア出力を維持した状態で、非接触通信媒体（例えばＩＣカード）の検出を行う（Ｓ１１）。Ｓ１１での非接触通信媒体の検出は、具体的には、包絡線の変化を検出することで行っており、例えば、包絡線検波回路３８から得られる包絡線のレベルが、基準値から所定レベル以上変化したか否かを検出することで行う。
【００５２】
本実施形態の携帯端末１で用いられる検出部２０ａ（図３）は、非接触通信媒体（ＩＣカード等）が第１のアンテナ５１に接近したときに、フィルタ回路３６と整合回路３７の間のマッチングにズレが生じるようになっている。従って、第１のアンテナ５１から出力されるキャリアの振幅は、非接触通信媒体が第１のアンテナ５１の付近に存在しないときには、図８左図に示すように振幅がある程度のレベルに保たれ、包絡線が一定レベルで検出されるようになっている。一方、非接触通信媒体が第１のアンテナ５１に接近したときには、上記のようなマッチングのズレに起因して図８右図のように振幅が変化（即ち包絡線が変化）するようになっている。Ｓ１１では、このような包絡線の変化を検出しており、包絡線に一定レベル以上の変化が生じている場合には、非接触通信媒体を検出したものとしてＳ１１にてＹｅｓに進み、Ｓ１２以降の処理を行っている。一方、包絡線に一定レベル以上の変化が生じていない場合にはＳ１１にてＮｏに進み、当該処理を終了している。  
【００５３】
Ｓ１１にてＹｅｓに進む場合（即ち、非接触通信媒体が検出された場合）には、第２のアンテナ５２を第２位置に移動する処理を行う（Ｓ１２）。具体的には、制御部３からアクチュエータ７に対して制御信号を与えており、このアクチュエータ７を駆動することによってアンテナ変位機構６０を動作させ、第２のアンテナ５２を第１位置（図４（ａ））から第２位置（図４（ｂ））に変位させている。
【００５４】
第２のアンテナ５２を図４（ｂ）に示す第２位置に変位させた後には、通信部２０ｂによる通信処理を行う（Ｓ１３）。Ｓ１３は、通信部２０ｂを用いた公知の非接触通信処理であり、その概要を述べると、まず、制御部３のオンオフ制御によってキャリア発振器２１の発振動作を開始させる一方で、制御部３から符号化部２２に対して送信データを出力して符号化する。そして、キャリア発振器２１より出力されるキャリアを、符号化部２２にて符号化された送信符号（変調信号）に基づいて変調した被変調信号を生成した後、これを増幅器２４によって増幅し、送信部フィルタ２５、整合回路２６を介して第２のアンテナ５２から出力する。一方、非接触通信媒体からの信号は、上述の通り、受信部フィルタ２７、増幅器２８、復調部２９、二値化処理部３０、復号化部３１によって受信処理がなされ、最終的に制御部３に入力される。なお、本実施形態では、制御部３が「出力制御手段」の一例に相当し、第２のアンテナ５２からのキャリアの出力（第２出力）を、第１のアンテナ５１からのキャリアの出力（第１出力）よりも大きく設定するように機能する。
【００５５】
Ｓ１３の通信処理の後には、その通信処理での通信結果（例えばＩＣカードの読み取り結果等）が表示装置４や外部装置に出力される（Ｓ１４）。そして、その出力処理の後には、アクチュエータ７を駆動し、第２のアンテナ５２を図４（ａ）に示す第１位置に移動させ、当該第２のアンテナ５２をケース２の凹部７１に収納する。
【００５６】
なお、本実施形態では、図７の非接触通信処理において非接触通信媒体が検出されない場合、Ｓ１１にてＮｏに進んで当該処理が終了することになるため、この場合には、当該非接触通信処理の前後、又は同時期に行われる図６の情報コード読取処理の結果のみが出力されることとなる。
【００５７】
（本実施形態の主な効果）
本実施形態の携帯端末１では、ケース内に光学的情報読取手段と非接触通信手段とが設けられており、光学的情報の読み取り及び非接触通信を単一の端末によって実現できるようになっている。
【００５８】
また、第１のアンテナ５１と第２のアンテナ５２とが設けられ、トリガスイッチ５（操作手段）にて開始信号が発生したときに、第１のアンテナ５１からのキャリアの出力をオン状態とし、且つ第２のアンテナ５２からのキャリアの出力をオフ状態としている。このようにすると、まず、第１のアンテナ５１からのキャリア送信によって非接触通信媒体の存在を確かめることができるため、装置内のアンテナ全部を使用して非接触通信媒体の検出を行う構成と比較して省電力化を図りやすくなる。また、第１のアンテナ５１は、非接触通信媒体の存在を検出するために用いる部分であり、必要以上に大きくする必要はないため、小型構成として装置内の適切位置に配置しやすくなる。
【００５９】
また、第１のアンテナ５１からのキャリア出力に基づいて非接触通信媒体の存在が検出された場合には、第２のアンテナ５２からのキャリア出力をオン状態としている。このようにすると、非接触通信媒体の存在が検出されてから第２のアンテナ５２を作動させることができるため、非接触通信媒体が存在しないような状況下で第２のアンテナ５２を作動させずに済み、消費電力を抑えた効率的な使用が可能となる。
【００６０】
更に、アンテナを機能毎に分けて構成しているため、それぞれのアンテナ（第１のアンテナ５１及び第２のアンテナ５２）をより適切な位置に効率的に配置することができる。従って、省電力化を図りうる構成をより小型構成で実現できる。
【００６１】
また、第２のアンテナ５２を、ケース２の外壁に沿って収まる第１位置と、ケース２から延出する第２位置とで変位させるアンテナ変位機構６０が設けられている。このようにすると、不使用時など、装置全体を嵩張る構成としたくない場合には、第２のアンテナ５２をケース２の外壁に沿って納め、装置全体をコンパクトにすることができる。一方、所定操作がなされた場合には、所定のタイミングでアンテナ変位機構６０が駆動して第２のアンテナ５２が第２位置に設定される。そして、非接触通信媒体が検出されることを条件として、第２のアンテナ５２からキャリアが出力される。このような構成とすると、ユーザが非接触通信を行うとする場合に、第２のアンテナ５２を通信しやすい位置（第２位置）に自動的に変更することができ、非接触通信をスムーズに且つ良好に行うことができる。
【００６２】
本発明のように非接触通信機能を設けて高機能化を図ろうとする場合、必然的に搭載部品が多くなるため、非接触通信に用いるアンテナを適切な位置に適切なサイズで配置しにくいという問題があり、装置全体を小型化しようとする場合にはその問題が顕著となる。例えば、アンテナを小さく構成すると、配置スペースを削減でき、装置全体の小型化を図りやすくなるものの、通信性能の低下を招くという問題がある。逆に、アンテナを大きくすると、アンテナ自体の通信性能を向上しうるものの、当該アンテナを適切な位置に配置しにくくなり、装置の小型化が困難となる。このような問題に対し、本実施形態の携帯端末１では、第２のアンテナ５２をケース２の内部に固定するのではなく、ケース２の外部に変位可能に設けている。従って、ある程度大きなサイズのものでも設置しやすく、また、必要に応じて延出させることができるため、ケース２の内部に第２のアンテナ５２の配置スペースをそれほど確保せずとも第２のアンテナ５２を通信しやすく配置できる。また、装置構成をコンパクトにしたい場合には、第２のアンテナ５２をケース２の外壁に沿って納めればよく、小型化をそれほど損ねることもない。
【００６３】
また、本実施形態では、非接触通信媒体が検出された場合にアンテナ変位機構６０を駆動させ、第２のアンテナ５２を第２位置に設定している。このようにすると、非接触通信媒体が通信可能範囲に存在しない状況下で第２のアンテナ５２を第２位置に移動させるといった無駄な動作を排除できる。
【００６４】
また、図４に示すように、第１のアンテナ５１が所定の仮想平面Ｆ１に沿って配置されている。一方、第２のアンテナ５２は、第１位置では、その仮想平面Ｆ１と交差する平面方向（仮想平面Ｆ２の面方向）に沿って配置され、第２位置では、仮想平面Ｆ１に沿って配置されている。このようにすると、第２のアンテナ５２をケース２の外壁に沿って納めるときには（即ち第１位置においては）、当該第２のアンテナ５２を第１のアンテナ５１の方向に沿って配置せずに済み、例えば、図１の携帯端末１のように両アンテナを同一の外壁に沿わせて配置しにくい場合等において有利となる。一方、第２位置では、第１のアンテナ５１と第２のアンテナ５２とが同一の平面方向に沿って配置され、図４（ｂ）のように、第１のアンテナ５１の通信可能範囲と第２のアンテナ５２の通信可能範囲とが近くなる。従って、第１のアンテナ５１のキャリア出力によって検出された非接触通信媒体を大幅に移動させることなくスムーズに非接触通信に移行できる。
【００６５】
また、ケース２の外壁に第２のアンテナ５２を収容する凹部７１が形成されており、第２のアンテナ５２は、第１位置にあるときにはその凹部７１の内部に収容され、第２位置への移動に伴ってその凹部７１から離脱し、ケース２から延出するように構成されている。このようにすると、第１位置では、第２のアンテナ５２を衝撃等から効果的に保護することができ、第２位置では、第２のアンテナ５２を凹部７１から離脱させて通信しやすく配置することができる。
【００６６】
また、第１のアンテナ５１よりも第２のアンテナ５２のほうが大きいサイズで構成されており、第１のアンテナ５１からは第１出力でキャリアが送信され、第２のアンテナ５２からは第１出力よりも大きい第２出力でキャリアが送信されるように構成されている。このようにすると、非接触通信媒体の検出を、小サイズのアンテナにより消費電力を抑えて行うことができ、非接触通信媒体が検出された後には、これよりも大きいサイズのアンテナを用い、適切な出力で非接触通信を行うことができる。
【００６７】
また、トリガスイッチ５の押圧操作（所定操作）に応じて開始信号が発生したときに、非接触通信手段による非接触通信及び光学的情報読取手段による情報コードの読み取りがいずれも実行されるようになっている。このようにすると、情報コードの読み取り及び非接触通信を少ない操作で迅速に開始することができ、両機能を並行して短時間で実行できる。
【００６８】
［他の実施形態]
本発明は上記記述及び図面によって説明した実施形態に限定されるものではなく、例えば次のような実施形態も本発明の技術的範囲に含まれる。
【００６９】
上記実施形態では、第２のアンテナ５２を変位可能とした構成を例示したが、第２のアンテナを変位させないような構成としてもよい。例えば、第２のアンテナを図１のような位置、或いは図１の位置よりも前寄りの位置に固定したような構成であってもよい。この場合、図７の制御処理では、Ｓ１２、Ｓ１５が省略されることとなる。
【００７０】
上記実施形態では、アンテナ駆動機構６０、アクチュエータ７、制御部３によって第２のアンテナ５２を自動的に変位させる構成を例示したが、第２のアンテナを手動で変位させる構成としてもよい。このような構成は、例えば、第１実施形態と同様のアンテナ駆動機構６０を用いると共に、アンテナ保持部５３を図４（ｂ）に示す延出位置側に付勢する付勢手段と、アンテナ保持部５３を図４（ａ）に示す収納位置に保持する保持手段（例えば、アンテナ保持部５３の端部をケース２の裏面部に一時的に係合させる係合手段）を設けることで実現できる。この場合、図４（ａ）に示す収納位置では、アンテナ保持部５３が保持手段によって当該収納位置に保持されるように構成し、その保持手段による保持が手動操作によって解除されたとき（例えば、アンテナ保持部５３とケース２の裏面部との係合が係合解除操作によって解除されたとき）に、アンテナ保持部５３が付勢手段の付勢によって図４（ｂ）に示す延出位置に移動されるようにしてもよい。
【００７１】
上記実施形態では、トリガスイッチ５が押圧された後であって且つ非接触通信媒体が検出された直後のタイミングを「所定のタイミング」とし、このタイミングで第２のアンテナ５２を第２位置に移動していたが、「所定のタイミング」はこのタイミングに限られない。例えば、トリガスイッチ５の押圧直後のタイミングを「所定のタイミング」として第２のアンテナ５２を第２位置に変位させるようにしてもよい。
【符号の説明】
【００７２】
１…携帯端末
２…ケース
３…制御部（光学的情報読取手段、非接触通信手段、出力制御手段、検出手段、駆動制御手段）
５…トリガスイッチ（操作手段）
７…アクチュエータ（駆動制御手段）
２０…非接触通信部（非接触通信手段）
３８…包絡検波回路（検出手段）
４０…情報コード読取部（光学的情報読取手段）
５０…アンテナ（非接触通信手段）
５１…第１のアンテナ
５２…第２のアンテナ
６０…アンテナ変位機構
【図１】
2010193230.tif 000003
【図２】
2010193230.tif 000004
【図３】
2010193230.tif 000005
【図４】
2010193230.tif 000006
【図５】
2010193230.tif 000007
【図６】
2010193230.tif 000008
【図７】
2010193230.tif 000009
【図８】
2010193230.tif 000010